(57)【要約】      （修正有）【課題】段差での落下や側壁への衝突および滑走面からの逸脱がなく、曲がり角部の滑走面の中心付近を確実に滑走通過する射出成型機用シュータを提供する。【解決手段】経路途中で滑走方向が変わるシュータにおいて、上部滑走面２と下部滑走面４の間にバンク高さ７をもったバンク滑走面６を設け、大きな段差なく滑走面をつなぐ。曲がり角部滑走面を支持する支柱１４は、寸法および重量が異なる物品が同一のシュータの曲がり角部滑走面の中央付近を通過するよう、曲がり角部滑走面を最適なバンク高さに設定するために、高さ調整部８を有することが好ましい。【選択図】図１
0003191604.tif 000002
【実用新案登録請求の範囲】
【請求項１】
物品を自重により滑走搬送するためのシュータに適用されて、前記シュータの上部滑走面と下部滑走面を有し、その間で滑走搬送方向を変えるための曲がり角部滑走面を有するもので、前記上部滑走面と前記下部滑走面と前記曲がり角部滑走面とを大きな段差無くつなぎ、前記物品が曲がり角部滑走面の中央付近を滑走搬送するための曲がり角部滑走面外側を高くするバンク高さが設定されたバンク滑走面を備えていることを特徴とする。
【請求項２】
前記曲がり角部滑走面を支持する支柱は、寸法および重量が異なる物品が同一のシュータの曲がり角部滑走面の中央付近を通過するよう、曲がり角部滑走面を最適なバンク高さに設定するために、支柱の高さが調整可能な構造であることを特徴とする請求項１に記載のシュータ。
【考案の詳細な説明】
【技術分野】
【０００１】  本考案は、物品を自重により滑走搬送するためのすべり台状のシュータに関するものである。特に射出成型機から多軸ロボットなどにより取り出した成形品を滑走搬送するための搬送用シュータに関するものである。
【背景技術】
【０００２】  例えば、オペレータが作業する位置よりも高所から成形品を取り出す構造のダイカストマシンにおいて、成形品を取り出した高所からオペレータが待機している低所に向けて成形品を搬送するために、鋼板製の滑走面をもったすべり台状のシュータを用いて滑走搬送する方法がとられている。【０００３】  前記シュータは、作業現場の設備配置などの制約により、前記成形品の滑走経路の方向転換の必要が生じた場合には、滑走経路途中からシュータの向きを変えることで滑走方向を変える方法が用いられる。【０００４】  前記シュータにおいて、前記成形品の滑走を良好に行うためには、前記成形品が滑走する滑走面（以下滑走面と記す）のスロープ角度を大きくとる必要がある。しかし、スロープ角度が大きい場合、前記シュータの曲がり角部で滑走面に大きな段差が発生し、前記成形品が前記段差を落下する衝撃により打痕などの不良が発生するといった問題があった。
また、大きなスロープ角度により前記成形品の滑走速度が上がり、前記滑走面の曲がり角外側側壁への衝突による打痕などの不良や、滑走面を逸脱し落下破損するといった不具合が発生するといった問題があった。【０００５】  この問題を解決する方法として、前記シュータの曲がり角部に成形品が軟着陸できる水平面の踊り場を設けて前記成形品を前記踊り場に一時滞留させ、前記成形品を今まで滑走してきた方向とは違う方向に向けられた下側のシュータへ向かって、エアシリンダにより前記踊り場から押し出すことで確実に曲がり角部を通過させる方法が用いられる。
【考案の概要】
【考案が解決しようとする課題】
【０００６】  しかしながら、前記踊り場に滞留した成形品の押し出しを行うための前記エアシリンダは、エア供給インフラの障害やエアシリンダそのものの故障などにより動作不良をおこし、前記成形品を押し出すことができなくなり、滞留した前記成形品に次の新たな成形品が衝突する不具合が発生し、その不具合の修理のための工数やコストが嵩むなどの問題があった。さらに、前記エアシリンダにより押し出す方法では、エアシリンダ本体や制御のための機器が必要なため、設備導入のためのコストが嵩む問題がある。【０００７】  本考案は、このような問題を解消することを課題として創案されたものである。すなわち、経路途中で方向転換を行うシュータにおいて、段差での落下や側壁への衝突および滑走面からの逸脱による落下などにより成形品に打痕などの外傷を付けることなく、曲がり角部の滑走面の中心付近を確実に滑走通過させること、エアシリンダなどの機械構造を省略することで機器トラブル停止による生産性低下の防止および設備の導入や維持管理にかかるコスト抑制すること、などが本考案の目的である。
【課題を解決するための手段】
【０００８】  このような目的を達成解決するために、本考案に係るシュータでは、以下の構成を少なくとも具備しているものである。【０００９】  高所にある射出成型機から成形品を低所まで滑走搬送するためのシュータに適用されて、前記シュータの上部滑走面と下部滑走面を大きな段差無くつなぎ経路途中で滑走搬送方向を変えるための曲がり角部において、水平面の踊り場を無くし前記成形品が曲がり角部の滑走面の中央付近を滑走搬送することで滑走面側壁への衝突や滑走面からの逸脱を防止するための曲がり角部滑走面外側を高くするバンク高さが設定されたバンク滑走面を備えていることを特徴とする。【００１０】  しかし、バンク滑走面のバンク高さが固定されていると、寸法および重量が異なる成形品を滑走させるときに滑走面の中央付近を逸れるおそれがある。
前記バンク滑走面を支持する支柱の長さを、調整が可能な構造とすることで、バンク滑走面のバンク高さを適正に調整し、成形品の滑走面中央付近通過を維持することができる。
前記バンク滑走面は、しなりのある鋼板を利用することで支柱長さを調整してもバンク滑走面入口からバンク滑走面出口まで滑らかにバンク高さが変化する面を形成することができ、鋼板のしなりの範囲内であれば前記バンク滑走面を交換することなくバンク高さの調整ができる。【００１１】  また、前記成形品に段差での落下による打痕などの外傷が付くことがないよう、前記シューターの滑走面全経路に渡って大きな段差の無い構成を採用する。
【考案の効果】
【００１２】  このような特徴を有する本考案に係るシュータによれば、以下の効果が得られる。前記曲がり角部のバンク滑走面に設定されたバンク高さにより、前記成形品が自重により前記バンク滑走面を滑走するときに滑走面の中央付近を通過し、滑走面側壁への衝突による打痕生成や滑走面逸脱による落下破損を防ぐことができる。
また前記曲がり角部バンク滑走面を介して上部滑走面と下部滑走面が大きな段差なく一面の滑走面でつながれているため、前記成形品が大きな段差を落下することによる打痕などの不良が発生することを防ぐ。
エアシリンダなどの機械構成が無いため、機器トラブル停止による生産性低下を防ぐことができる。また設備導入コストや維持管理コストが低廉で済む。
【図面の簡単な説明】
【００１３】
【図１】本考案の実施形態に係るシュータ装置の全体を示す斜視図である。
【図２】段差を有する従来例を示す斜視図である。
【図３】エアシリンダーによる押し出し機構を有する従来例を示す斜視図である。
【考案を実施するための形態】
【００１４】  以下、本考案の実施形態について、適宜図面を参照しながら詳細に説明する。本考案の実施形態は図示の内容を含むがこれのみに限定されるものではない。
【実施例】
【００１５】  図１の６は本考案に係るシュータのスロープ曲がり角部のバンク滑走面を示し、８はバンク高さを調整する高さ調整部を示す。【００１６】  図１に示す、バンク滑走面６は、シュータの上部滑走面２と下部滑走面４との間に大きな段差なく設置される。
滑走面の両側には、滑走面から製品が脱落しないよう、それぞれ外側側壁５ａと内側側壁５ｂが設けられている。【００１７】  図１に示す、バンク高さ調整部８は上側支柱９にあけられた複数の貫通穴と下側支柱１０にあけられた一つまたは複数の貫通穴にボルト１１を貫通しナット１２で締結することでバンク滑走面６を支持する高さを調整できる。その結果バンク滑走面６のバンク高さ７が調整される。
バンク高さ７の調整は事前に製品重量から計算により導き出されてもよいし、実製品を滑走させて適宜調整してもよい。【００１８】  上部滑走面２とバンク滑走面６と下部滑走面４は一体での形成に限らない。図示はしないが、台枠１４を上部滑走面２とバンク滑走面６と下部滑走面４のそれぞれの大きさに合わせて分割作成し、分割された前記台枠１４に上部滑走面２とバンク滑走面６と下部滑走面４をそれぞれ組み合わせて形成し、連結することで一連の滑走面を構成してもよい。このとき、各滑走面の連結部は段差の無い継ぎ目とすることで、滑走搬送される製品の引っ掛かりを防止する。
シュータが分割されることにより、ダイカストマシンのメンテナンス作業等において、前記ダイカストマシン周辺に設置された前記シュータは分割された構成の一部を移動することで通行経路の確保ができる。【００１９】  なお、高さ調整部８の支柱の長さ調節構造は図示したものに限らず、たとえばターンバックルなどのねじ構造による構成や、ラック＆ピニオンなどの歯車構造による構成などを用いることもできる。【００２０】  また、図１に示す、高さ調整部８は１か所の設置状態を示しているが、これに限定されるものではなく、複数個所に角度調整部を設置することができる。
【符号の説明】
【００２１】１  シュータ上半部
２  上部滑走面
３  シュータ下半部
４  下部滑走面
５ａ  外側側壁
５ｂ  内側側壁
６  曲がり角部バンク滑走面
６ａ  曲がり角部バンク滑走面入口
６ｂ  曲がり角部バンク滑走面出口
７  バンク高さ
８  高さ調整部
９  上側支柱
１０  下側支柱
１１  ボルト
１２  ナット
１３  曲がり角部バンク滑走面中間部
１４  台枠
１５  エアシリンダー
１６  押出バー
【図１】
0003191604.tif 000003
【図２】
0003191604.tif 000004
【図３】
0003191604.tif 000005